(57)【要約】【課題】マスクレス露光装置において、正確にパターン形成位置／露光位置を定める。【解決手段】ＤＭＤを備えた露光装置において、単一のフォトセンサＰＤの上方にスリットＳＴ１〜ＳＴ２を等間隔で形成した遮光部４０を設置し、露光エリアが遮光部４０を相対移動する間、副走査方向Ｙに平行な複数のバー状パターンＰＬ１〜ＰＬ４から成る位置検出パターン列ＰＴを投影する。そして、フォトセンサＰＤから出力される光量信号の半値を検知し、トリガー信号の出力中間位置から露光位置を算出し、補正する。【選択図】図２
2015142036.tif 000002
【特許請求の範囲】
【請求項１】
複数の光変調素子をマトリクス状に配列した光変調素子アレイと、
前記光変調素子アレイによる露光エリアを、被描画体に対し主走査方向に沿って相対移動させる走査部と、
前記露光エリアの相対位置に応じて前記複数の光変調素子を制御し、パターン光を前記被描画体に投影させる露光制御部と、
前記被描画体の描画面に沿って少なくとも１つのスリットを形成した遮光部と、
前記スリットを透過する光を受光する測光部と、
前記測光部の出力から露光位置を算出する位置算出部とを備え、
前記露光制御部が、前記遮光部を前記露光エリアが相対移動する間、前記スリットの主走査方向幅よりも広い主走査方向幅を有する位置検出パターンの光を投影し、
前記位置算出部が、前記測光部の時系列出力に従う連続的光量分布から、露光位置を算出することを特徴とする露光装置。
【請求項２】
前記連続的光量分布が、パターン光の空間的光量分布に対応していることを特徴とする請求項１に記載の露光装置。
【請求項３】
前記スリットが、副走査方向に沿って形成されており、
前記位置検出パターンが、副走査方向に沿ったバー状パターンを有することを特徴とする請求項１乃至２のいずれかに記載の露光装置。
【請求項４】
前記スリットの主走査方向に沿った幅が、バー状パターンの主走査方向に沿った幅に対して０．１〜０．５倍であることを特徴とする請求項３に記載の露光装置。
【請求項５】
複数のスリットが主走査方向に沿って形成されていることを特徴とする請求項１乃至４のいずれかに記載の露光装置。
【請求項６】
前記露光制御部が、主走査方向に沿って複数の位置検出パターンの光を投影し、
前記複数のスリットの間隔が、複数の位置検出パターンの間隔よりも広いことを特徴とする請求項５に記載の露光装置。
【請求項７】
前記測光部が、主走査方向に沿って分割された第１、第２の測光領域を有し、そして、前記第１、第２の測光領域ごとに光量を検知し、
前記露光制御部が、露光エリア内で互いに異なる第１の位置検出パターン、第２の位置検出パターンを、前記第１の測光領域、前記第２の測光領域に対しそれぞれ投影することを特徴とする請求項１乃至６のいずれかに記載の露光装置。
【請求項８】
前記露光動作制御部が、副走査方向に沿ったバー状パターンを前記第１の位置検出パターンとして投影し、主走査方向に対し傾斜したバー状パターンを前記第２の位置検出パターンとして投影することを特徴とする請求項５に記載の露光装置。
【請求項９】
複数の光変調素子をマトリクス状に配列した光変調素子アレイによる露光エリアを、被描画体に対し主走査方向に沿って相対移動させ、
前記露光エリアの相対位置に応じて前記複数の光変調素子を制御し、パターン光を前記被描画体に投影させ、
前記被描画体の描画面に沿って少なくとも１つのスリットを形成し、
前記スリットを透過する光を受光し、
前記測光部の出力から露光位置を算出する露光方法であって、
前記遮光部を前記露光エリアが相対移動する間、前記スリットの主走査方向幅よりも広い主走査方向幅を有する位置検出パターンの光を投影し、
前記測光部の時系列出力に従う連続的光量分布から、露光位置を算出することを特徴とする露光方法。
【発明の詳細な説明】
【技術分野】
【０００１】
本発明は、光変調素子アレイを用いてパターンを形成するマスクレス露光装置に関し、特に、基板等に投影されるパターンの位置検出に関する。
【背景技術】
【０００２】
マスクレス露光装置では、基板が搭載されるステージを走査方向に沿って移動させながら、ＤＭＤ（Digital Micro-mirror Device）などの光変調素子アレイによってパターン光を基板に投影する。そこでは、ステージに載せられた基板上における投影エリア（露光エリア）の位置を検出し、その位置に応じたパターン光を投影するように、２次元状に配列されたマイクロミラーなど光変調素子を制御する。
【０００３】
マイクロメータのオーダーで微細パターンを形成する場合、基板の位置を正確に検出し、パターン光を位置ずれなく投影する必要がある。しかしながら、ＤＭＤの温度変化などに起因して、パターン光の投影位置にずれが生じ、パターン形成位置に誤差が生じることがある。
【０００４】
これを防ぐため、フォトダイオードなどの光センサをステージ脇に複数配置し、露光位置を補正する（特許文献１参照）。そこでは、描画面の傍に複数のスリットを形成し、ＤＭＤの投影エリアがスポット光サイズよりも幅広のスリットを通過するとき、特定のマイクロミラーをＯＮ状態にする。そして、スリット通過時におけるスポット光の光量変化を検出し、最大光量の半値が検出される位置を描画位置として算出する。
【先行技術文献】
【特許文献】
【０００５】
【特許文献１】特開２００７−２７１８６７号公報
【発明の概要】
【発明が解決しようとする課題】
【０００６】
１つのマイクロミラーによるスポット光を基準にして光量測定する場合、スポット光強度が微弱であるため、フォトセンサにおいて生じているノイズが光量測定に影響する。また、スポット光サイズに対してスリット幅が広いため、光源の揺らぎなどによってスポット光の位置が不安定となり、露光位置を正確に検出することが難しい。
【０００７】
したがって、マスクレス露光装置において、フォトダイオードなどのフォトセンサを用いて正確な２次元の位置検出が求められる。
【課題を解決するための手段】
【０００８】
本発明の露光装置は、複数の光変調素子をマトリクス状に配列した光変調素子アレイと、光変調素子アレイによる投影エリアとなる露光エリアを、被描画体に対し主走査方向に沿って相対移動させる走査部と、露光エリアの相対位置に応じて複数の光変調素子を制御し、パターン光を被描画体に投影させる露光制御部とを備える。
【０００９】
また、露光装置は、被描画体の描画面に沿って少なくとも１つのスリットを形成した遮光部と、スリットを透過する光を受光する測光部と、測光部の出力から露光位置を算出する位置算出部とを備える。測光部は、例えばフォトセンサで構成することが可能であり、単一のフォトセンサ配置、あるいは走査バンドごとのフォトセンサ配置が構成可能である。
【００１０】
本発明では、露光制御部は、遮光部を露光エリアが所定速度で相対移動する間、スリットの主走査方向幅よりも広い主走査方向幅を有する位置検出パターンの光を投影する。そして、位置算出部は、測光部から連続的、時系列的に出力される光量による連続的光量分布から、露光位置を算出する。測光部からの時系列的な一連の出力から連続的な光量分布が導かれ、分布特性は出力値に従う。位置算出部は、スポット的、静的な光量ではなく、例えば一定速度でパターンのスリット通過中の光量分布に基づいて露光位置を算出する。
【００１１】
連続的光量分布がパターン光の空間的光量分布に対応するようにパターン光、スリットを構成することが望ましい。感光材料などの露光量に対応させて露光位置を光量分布から求めることが可能となる。
【００１２】
スリットは、例えば副走査方向に沿って形成することが可能であり、位置検出パターンは、副走査方向に沿ったバー状パターンとして形成することが可能である。スリットの主走査方向に沿った幅は、バー状パターンの主走査方向に沿った幅に対して０．１〜０．５倍に定めることが可能である。
【００１３】
また、複数のスリットを主走査方向に沿って形成することが可能であり、露光位置をスリットごとに算出することが可能である。この場合、露光制御部は、主走査方向に沿って複数の位置検出パターンの光をパターン列として投影することが可能であり、このとき、複数のスリットの間隔が、複数の位置検出パターンの間隔よりも広くなるように、パターン列を投影すればよい。
【００１４】
一方、測光部において２つの受光領域を規定し、別々に出力するように構成することも可能である。この場合、露光制御部は、露光エリアに投影するパターンとして、互いに異なる第１の位置検出パターン、第２の位置検出パターンを、第１の測光領域、第２の測光領域に対し投影する。測光部は、第１、第２の測光領域から、第１の位置検出パターン、第２の位置検出パターンそれぞれに応じた光量を検知し出力を行う。
【００１５】
例えば、露光動作制御部が、副走査方向に沿ったバー状パターンを第１の位置検出パターンとして投影し、主走査方向に対し傾斜したバー状パターンを第２の位置検出パターンとして投影することが可能である。
【００１６】
本発明の他の態様における露光方法は、複数の光変調素子をマトリクス状に配列した光変調素子アレイによる露光エリアを、被描画体に対し主走査方向に沿って相対移動させ、露光エリアの相対位置に応じて複数の光変調素子を制御し、パターン光を被描画体に投影させ、被描画体の描画面に沿って少なくとも１つのスリットを形成し、スリットを透過する光を受光し、測光部の出力から露光位置を算出する露光方法であって、遮光部を露光エリアが相対移動する間、スリットの主走査方向幅よりも広い主走査方向幅を有する位置検出パターンの光を投影し、測光部の時系列出力に従う連続的光量分布から、露光位置を算出する。
【発明の効果】
【００１７】
本発明によれば、マスクレス露光装置において、正確にパターン形成位置／露光位置を定めることができる。
【図面の簡単な説明】
【００１８】
【図１】第１の実施形態である露光装置のブロック図である。
【図２】遮光部と位置検出パターン列を示した図である。
【図３】フォトセンサと遮光部の配置を示した概略的側面図である。
【図４】１つのスリットを１つのバー状パターン光が通過したときの時系列的光量分布を示したグラフである。
【図５】露光位置検出時におけるタイミングチャートである。
【図６】第２の実施形態におけるフォトセンサと位置検出パターン列を示した図である。
【図７】ずれ量と測定値との関係を示した図である。
【発明を実施するための形態】
【００１９】
以下では、図面を参照して本発明の実施形態について説明する。
【００２０】
図１は、第１の実施形態である露光装置のブロック図である。
【００２１】
露光装置（描画装置）１０は、フォトレジストなどの感光材料を塗布、あるいは貼り付けた基板Ｗへ光を照射することによってパターンを形成するマスクレス露光装置であり、基板Ｗを搭載するステージ１２が走査方向に沿って移動可能に設置されている。ステージ駆動機構１５は、主走査方向Ｘ、副走査方向Ｙに沿ってステージ１２を移動させることができる。
【００２２】
露光装置１０は、パターン光を投影する複数の露光ヘッドを備えており（ここでは１つの露光ヘッド１８のみ図示）、露光ヘッド１８は、ＤＭＤ２２、照明光学系、結像光学系（いずれも図示せず）を備える。光源２０は、例えば放電ランプ（図示せず）によって構成され、光源駆動部２１によって駆動される。
【００２３】
ベクタデータなどで構成されるＣＡＤ／ＣＡＭデータが露光装置１０へ入力されると、ベクタデータがラスタ変換回路２６に送られ、ベクタデータがラスタデータに変換される。生成されたラスタデータは、バッファメモリ（図示せず）に一時的に格納された後、ＤＭＤ駆動回路２４へ送られる。
【００２４】
ＤＭＤ２２は、微小マイクロミラーを２次元配列させた光変調素子アレイ（光変調器）であり、各マイクロミラーは、姿勢を変化させることによって光の反射方向を選択的に切り替える。ＤＭＤ駆動回路２４によって各ミラーが姿勢制御されることにより、パターンに応じた光が、結像光学系を通じて基板Ｗの表面に投影される。
【００２５】
ステージ駆動機構１５は、コントローラ３０からの制御信号に従い、ステージ１２を移動させる。ステージ駆動機構１５には不図示のリニアエンコーダが備わっており、ステージ１２の位置を測定し、コントローラ３０にフィードバックする。
【００２６】
位置検出部２８は、ステージ１２の端部付近に設置されており、単一のフォトセンサＰＤ、およびパルス信号発生部２９を備えている。位置検出部２８の上方には、部分的に光を通す遮光部４０が設けられている。位置算出部２７は、位置検出部２８から送られてくる信号に基づき、露光位置、すなわち露光ヘッドに対する基板Ｗ（ステージ１２）の位置を算出する。
【００２７】
露光動作中、ステージ１２は、走査方向Ｘに沿って一定速度で移動する。ＤＭＤ２２全体による投影エリア（以下、露光エリアという）は、基板Ｗの移動に伴って基板Ｗ上を相対的に移動する。露光動作は所定の露光ピッチに従って行なわれ、露光ピッチに合わせてマイクロミラーがパターン光を投影するように制御される。
【００２８】
ＤＭＤ２２の各マイクロミラーの制御タイミングを露光エリアの相対位置に従って調整することにより、露光エリアの位置に描くべきパターンの光が順次投影される。そして、露光ヘッド１８を含めた複数の露光ヘッドにより基板Ｗ全体を描画することによって、基
板Ｗ全体にパターンが形成される。
【００２９】
なお、露光方式としては、一定速度で移動する連続移動方式だけでなく、間欠的に移動するステップ＆リピートも可能である。また、露光ショット時の投影エリアを部分的に重ねる多重露光（オーバラップ露光）も可能である。
【００３０】
露光動作を始める前段階においては、パターンを正確な位置に形成するため、露光開始位置に関する補正処理が行われる。ステージ１２を一定速度で移動させながら、位置検出用のパターンの光を投影する。コントローラ３０は、位置算出部２７から送られてくる位置情報に基づき、露光開始位置を補正する。
【００３１】
以下、図２〜７を用いて、露光位置の検出および補正について説明する。
【００３２】
図２は、遮光部と位置検出パターン列を示した図である。図３は、フォトセンサと遮光部の配置を示した概略的側面図である。
【００３３】
単一の矩形状フォトセンサＰＤの光源側上方に配置された遮光部４０には、スリットエリアＳＴが主走査方向Ｘに沿って形成されており、ここでは主走査方向Ｘに垂直、すなわち副走査方向Ｙに平行な６つのバー状スリットＳＴ１〜ＳＴ６がスリットピッチＳＰで等間隔に形成されている。遮光部４０のサイズは、フォトセンサＰＤ全体のサイズよりも大きく、遮光部４０の真下に配置されたフォトセンサＰＤは、スリットＳＴを通った光のみ受光する。
【００３４】
光強度／光量を検知するフォトセンサＰＤは、基板Ｗを支持する支持機構６０によって保持されており、フォトセンサの受光面ＰＳと基板Ｗの描画面に平行な遮光部４０の両端を支持する支持機構５０は、基板Ｗを支持する支持機構６０によって支持されている。支持機構６０は、ステージ１２に取り付けられている。ステージ１２の移動に伴い、露光エリアが遮光部４０を通過する。
【００３５】
露光位置検出のとき、位置検出パターン列ＰＴの光が、パターン光として投影される。位置検出パターン列ＰＴは、主走査方向Ｘに垂直、すなわち副走査方向Ｙに平行なバー状パターンを複数並べたパターン列であり、ここでは、パターンピッチＰＰで等間隔に並ぶ４つのバー状パターンＰＬ１、ＰＬ２、ＰＬ３、ＰＬ４によって構成されている。位置検出パターン列ＰＴの光を遮光部４０に向けて走査させる。
【００３６】
バー状パターンＰＬ１、ＰＬ２、ＰＬ３、ＰＬ４の各パターン幅Ｋは、遮光部４０に形成されたスリットＳＴ１〜ＳＴ６各々のスリット幅Ｚよりも広い。また、パターンピッチＰＰも、スリット幅Ｚよりも広い。したがって、１つのバー状パターンが所定速度で１つのスリットを完全に通過した後、次のバー状パターンがスリット通過を開始する。位置検出パターン列ＰＴの主走査方向Ｘに沿った全体幅ＰＷは、スリットピッチＳＰよりも小さい。このため、位置検出パターン列ＰＴの最後尾バー状パターンＰＬ４が１つのスリットを例えば一定速度で通過終了すると、先頭のバー状パターンＰＬ１が次のスリット通過を開始する。
【００３７】
図４は、１つのスリットを１つのバー状パターン光が通過したときの時系列的光量分布を示したグラフである。図５は、露光位置検出時におけるタイミングチャートである。以下では、スリットＳＴ６、バー状パターンＰＬ１を対象にして説明する。
【００３８】
位置検出パターン列ＰＴの光が遮光部４０を一定速度で通過すると、バー状パターンＰＬ１がスリットＳＴ６を透過したときにフォトセンサＰＤから出力される信号（以下、光量信号という）は、時系列的に連続変化する。これは、上述したように、スリット幅Ｚがバー状パターンＰＬ１のパターン幅Ｋよりも短いことに起因する。
【００３９】
図４に示すように、バー状パターンＰＬ１の主走査方向Ｘに沿った光強度分布／光量分布ＧＤは、略ガウス分布で表される。したがって、ピーク値を中心にして光量が徐々に減少していく。その結果、フォトセンサＰＤによって検出される光量の時系列的分布（以下、光量信号分布という）ＡＬも略ガウス分布となり、時系列的な光量信号分布ＡＬと空間的な光量分布ＧＤが、互いに相似的な相関関係をもつ。ただし、ここでの光量信号分布ＡＬは、スリット幅Ｚに従って検出される光量信号値をステージ１２の移動に対して連続的にプロットした軌跡を表す。
【００４０】
光量信号分布ＡＬと光量分布ＧＤとが相似的関係をもつには、スリット幅Ｚがバー状パターン幅Ｋよりも短ければよく、十分短くすることによって光量信号分布ＡＬの山形形状が光量分布ＧＤの山形形状に一層近くなる。ここでは、スリット幅Ｚが、バー状パターン幅Ｋに対して０．１〜０．５倍に定められる。このような比率にするため、バー状パターンＰＬ１の光を投影するマイクロミラーの領域設定、あるいは、スリット幅Ｚの調整いずれか、あるいは両方を行う。
【００４１】
露光位置の測定については、光量信号分布ＡＬの中心位置を求め、その位置を露光位置として測定することにより、バー状パターンＰＬ１の投影位置を連続的走査の過程で検出することが可能となる。具体的検出方法としては、光量信号があらかじめ定められた閾値を通過する／跨ぐとき、トリガー信号がパルス信号発生部２９から出力されるように構成されている。閾値は、基板Ｗの感光材料の露光量が光強度の半値に基づいて算出されていることを考慮し、ここでは、バー状パターンＰＬ１の光強度分布ＧＤの半値を閾値として定めている。
【００４２】
光量信号分布ＡＬは、光量の連続的増加から連続的減少となる分布であるから、図５に示すように、バー状パターンＰＬ１がスリットＳＴ６を通過するとき、２つのトリガー信号が出力される。この２つのトリガー信号出力タイミングの中間が、バー状パターンＰＬ１の光量分布ＡＬのピーク位置に対応する露光位置として求められる。
【００４３】
バー状パターンＰＬ１がスリットＳＴ６を通過するときの光量信号分布について説明したが、他のバー状パターンＰＬ２〜ＰＬ４がスリットＳＴ６を通過するときも同様の光量信号分布が得られ、トリガー信号も同じようなタイミングにより一定時間間隔で出力される。
【００４４】
さらに、位置検出パターン列ＰＴが先頭のスリットＳＴ６を通過終了し、次のスリットＳＴ５を通過開始するまでの時間間隔は、２つのバー状パターンの光が１つのスリットＳＴ６を通過する時間間隔と同じになるように、走査速度、スリットピッチＳＰが定められている。したがって、位置検出パターン列ＰＴがスリットＳＴ１〜ＳＴ６すべてを通過する間、トリガー信号は一定時間間隔ＰＰｔで出力される。位置算出部２７では、上述した隣接する２つのトリガー信号出力タイミングの中間値から露光位置を順次算出する。
【００４５】
コントローラ３０では、トリガー信号から算出される露光位置に対し、あらかじめ設定された標準露光位置との差を順次算出する。標準露光位置としてはスリットの中心地点の位置座標が、あらかじめ記憶、設定されている。
【００４６】
検出されるすべての露光位置座標に対して補正値を算出した後、その平均値が求められる。この平均値によって、露光位置が補正される。実際の描画処理を行うとき、露光位置を補正値だけシフトさせて描画を開始する。ここでは、複数の露光ヘッドそれぞれに対し、露光位置が基板Ｗの基準位置として補正される。
【００４７】
このように第１の実施形態によれば、ＤＭＤ２２を備えた露光装置１０において、単一のフォトセンサＰＤの上方にスリットＳＴ１〜ＳＴ２を等間隔で形成した遮光部４０を設置し、露光エリアが遮光部４０を相対移動する間、副走査方向Ｙに平行な複数のバー状パターンＰＬ１〜ＰＬ４から成る位置検出パターン列ＰＴを投影する。そして、フォトセンサＰＤから出力される光量信号の半値を検知し、トリガー信号の出力中間位置から露光位置を算出し、補正する。
【００４８】
フォトセンサがスリットを通過した光のみ受光するため、漏れ光等のノイズの影響が抑えられる。そして、時系列的に検出される光量信号分布がパターン光の光強度分布に相当する形状になるため、光量分布の半値を検出することによって、ピーク位置に相当する露光位置を精度よく検出することができる。
【００４９】
また、複数のスリットをパターン光が通過し、その相対的移動量に基づいて平均値を算出することにより、光源の揺らぎやフォトセンサの感度ムラなどが生じた場合においても、その影響を抑えることができる。さらに、複数のバー状パターンが複数のスリットを通過することにより、平均値の母数が拡大し、露光位置が精度よく計測される。
【００５０】
位置検出パターン列のバー状パターンは、主走査方向に垂直でなくてもよく、スリット形成方向に合わせてパターン形状を定め、上述した連続的光量分布が得られるようにスリットの主走査方向幅、パターン光の主走査方向幅を定めてもよい。また、パターン列の代わりに、１つのバー状パターンを位置検出パターンとして用いることも可能である。フォトセンサについては、各走査バンドに対してフォトセンサを設置することも可能である。
【００５１】
次に、図６、７を用いて、第２の実施形態について説明する。第２の実施形態では、フォトセンサを２つの光量検出領域に分割し、主走査方向（Ｘ方向）、副走査方向（Ｙ方向）に関して２次元の露光位置を検出する。それ以外の構成については、実質的に第１の実施形態と同じである。
【００５２】
図６は、第２の実施形態におけるフォトセンサと位置検出パターン列を示した図である。
【００５３】
フォトセンサＰＤ１は、主走査方向に沿って均等に２分割されており、第１、第２の測光領域ＡＰ１、ＡＰ２がそれぞれ規定されている。ここで分割とは、フォトセンサＰＤが２つの受光部を持つ様に構成されることを意味し、１つの受光素子を電気的に分断して２つの受光部としてもよいし、独立した２つの受光素子を隣接して備えるよう構成してもよい。フォトセンサＰＤ１では、光量が各領域において別々に検知される。そして、第１の測光領域ＡＰ１に対して第１の位置検出パターン列ＰＴ１、第２の測光領域ＡＰ２に対して位置検出パターン列ＰＴ２が投影される。
【００５４】
遮光部４００の第１の測光領域ＡＰ１に応じた半分の領域には、第１の実施形態と同様、副走査方向Ｙに平行な複数のスリットＳＵ１が等間隔で形成されている。そして、第１の位置検出パターン列ＰＴ１も、第１の実施形態と同様、副走査方向Ｙに平行な複数のバー状パターンから構成される。
【００５５】
一方、遮光部４００において第２の測光領域ＡＰ２に応じた残り半分の領域には、主走査方向Ｘに対して所定角度傾斜したスリットＳＵ２が等間隔で形成されている。そして、第２の位置検出パターン列ＰＴ２も、同じ傾斜角度だけ傾斜したパターン列として構成される。ここでは、傾斜角度は主走査方向Ｘに対して−４５度に定められている。
【００５６】
露光位置を検出する場合、第１、第２の位置検出パターン列ＰＴ１、ＰＴ２が投影される。このとき、第１の測光領域ＡＰ１、第２の測光領域ＡＰ２それぞれにおいて、時系列的に連続であってガウス分布に相当する光量信号分布が得られ、トリガー信号が第１の測光領域ＡＰ１、第２の測光領域ＡＰ２それぞれから出力される。
【００５７】
第１の測光領域ＡＰ１については、第１の実施形態と同様、主走査方向Ｘに沿った露光位置およびその補正値が算出される。一方、第２の測光領域ＡＰ２で検出される露光位置には、主走査方向Ｘ、副走査方向Ｙの位置ずれが含まれている。しかしながら、第１の執行領域ＡＰ２で求められた主走査方向Ｘの位置ずれを利用することにより、２軸のずれ量を求めることができる。
【００５８】
図７は、ずれ量と測定値との関係を示した図である。主走査方向Ｘに関するずれ量をＡとすると、パターン傾斜角度が４５度であることから、副走査方向Ｙに関するずれ量はＢ−Ａとなる。したがって、第２の測光領域ＡＰ２に対して算出される主走査方向Ｘの露光位置の値と、第１の測光領域ＡＰ１に対して算出される主走査方向Ｘの露光位置の値との差分（Ｂ−Ａ）を取ることにより、Ｘ、Ｙ２軸について露光位置を補正することができる。
【００５９】
なお、第１の測光領域に応じた遮光部の領域においても、傾斜したスリットを形成し、傾斜した位置検出パターン列を投影することが可能である。この場合、それぞれの領域における２軸の露光位置から、ずれ量を求めればよい。
【符号の説明】
【００６０】
１０  露光装置
２２  ＤＭＤ（光変調素子アレイ）
２７  位置算出部
２８  位置検出部（測光部）
３０  コントローラ（露光制御部）
４０  遮光部
ＰＤ  フォトセンサ
【図１】
2015142036.tif 000003
【図２】
2015142036.tif 000004
【図３】
2015142036.tif 000005
【図４】
2015142036.tif 000006
【図５】
2015142036.tif 000007
【図６】
2015142036.tif 000008
【図７】
2015142036.tif 000009